(57)【要約】【課題】板状の被梱包部材を縦置きして保持する際に、被梱包部材が不安定な姿勢で立てられたとしても、その姿勢を強力に保持固定可能な梱包材及び梱包体を提供する。【解決手段】板状の被梱包部材２０を縦置きする際に被梱包部材２０を保持固定するための梱包材３１であって、被梱包部材２０を保持する溝３８を有する梱包材本体３７を備えてなり、溝３８は平面視略曲がった形状に走らせて形成され、溝３８の壁面４１には、互いに間隔をおいて、被梱包部材２０の表面２１に接触する第一の接触部４３Ａ，４３Ｂを有し、溝３８の壁面４２には、被梱包部材２０の裏面２２に接触する第二の接触部４４を有する。【選択図】図３
2014162517.tif 000002
【特許請求の範囲】
【請求項１】
板状の被梱包部材を縦置きする際に前記被梱包部材を保持固定するための梱包材であって、
前記被梱包部材を保持する溝を有する梱包材本体を備えてなり、
前記溝は平面視略曲がった形状に走らせて形成され、
前記溝の一方の壁面には、互いに間隔をおいて、被梱包部材の一方の面に接触する第一の接触部を有し、
前記他方の壁面には、被梱包部材の他方の面に接触する第二の接触部を有することを特徴とする梱包材。
【請求項２】
前記溝の一方の壁面と他方の壁面とが一定の曲率をもって形成されていることを特徴とする請求項１に記載の梱包材。
【請求項３】
前記溝の一方の壁面と他方の壁面とは、同一寸法を隔てて並行に形成されていることを特徴とする請求項１又は２に記載の梱包材。
【請求項４】
請求項１から３の何れか一項に記載の梱包材が設置され、
板状の被梱包部材は湾曲形状を有し、
前記被梱包部材の曲率と異なる曲率となるように、前記溝が走らされていることを特徴とする梱包体。
【請求項５】
前記被梱包部材の板面は、前記溝の一方の壁面及び他方の壁面における少なくとも三つの接触部により保持されていることを特徴とする請求項４に記載の梱包体。
【請求項６】
梱包される前記被梱包部材の底辺は、水平方向に対して傾いていることを特徴とする請求項４又は５に記載の梱包体。
【発明の詳細な説明】
【技術分野】
【０００１】
本発明は、梱包材及び梱包体に関する。
【背景技術】
【０００２】
一般に、車両にはボンネット等の板状の部材が多く使用されている。このような板状の部材（以下、被梱包部材という）は、車両の組み立て前に運搬する際に、一定の間隔をおいて縦置きして梱包し、一つの梱包体とされる。
【０００３】
例えば、特許文献１には、底面シートに複数の溝を有する二列の受部が設けられると共に、左右側面シートの上部に複数の溝を有する保持部が設けられ、前記受部の各溝と前記保持部の各溝とに被梱包部材が一枚ずつ嵌め込まれて複数の被梱包部材が縦置きして保持された梱包体が開示されている。
【先行技術文献】
【特許文献】
【０００４】
【特許文献１】特開２００４−１３１１２２号公報
【発明の概要】
【発明が解決しようとする課題】
【０００５】
しかしながら、一方向に長く延在する板状且つ大型の被梱包部材（以下、大型部材という）を梱包する際に、梱包体の縦・横・高さの比率によっては、被梱包部材の最長部分を水平方向又は垂直方向におくと梱包体全体が大型化するため、被梱包部材の姿勢を変えて該最長部分を前記水平方向又は垂直方向に対して斜め上方へ向けることにより、梱包体全体の大型化を抑えるようにしている。
【０００６】
上記の場合、従来の梱包材及び梱包体では、不安定な姿勢で縦置きされた被梱包部材が、嵌め込まれた梱包材の溝で輪郭に沿う方向に回転して滑り、大型部材のガタつきや溝からの離脱を招いて大型部材に損傷を与えてしまうという問題があった。特に、前記一方向に湾曲した湾曲部を有する大型部材を縦置きに梱包する際に前記湾曲部を底部に配置すると、嵌め込まれた梱包材の溝で輪郭に沿う方向に回転し易くなり、大型部材に大きな損傷を与えてしまうという問題があった。
【０００７】
本発明は、上記問題を解決するために、板状の被梱包部材を縦置きして保持する際に、被梱包部材が不安定な姿勢で立てられたとしても、その姿勢を強力に保持固定可能な梱包材及び梱包体の提供を課題とする。
【課題を解決するための手段】
【０００８】
請求項１に記載の発明は、板状の被梱包部材を縦置きする際に前記被梱包部材を保持固定するための梱包材であって、前記被梱包部材を保持する溝を有する梱包材本体を備えてなり、前記溝は平面視略曲がった形状に走らせて形成され、前記溝の一方の壁面には、互いに間隔をおいて、被梱包部材の一方の面に接触する第一の接触部を有し、前記他方の壁面には、被梱包部材の他方の面に接触する第二の接触部を有することを特徴とする。
ここで、平面視とは、梱包材において被梱包部材を縦置きに保持固定する側から見た状態を意味する。曲がった形状とは、湾曲、屈曲、折り返し等を含む形状であり、緩やかな曲げだけではなく、鋭角に折り曲げられた形状を含む。接触部とは、点、線又は面で接触する何れの場合をも含む部位である。
本発明では、被梱包部材が立ち姿勢で平面視略曲がった形状の溝に嵌め込まれても、第一の接触部により溝の一方の壁面から他方の壁面に向けて押圧されると共に、第一の接触部間で第二の接触部により第一の接触部が被梱包部材を押圧する方向と略対向する方向に押圧される。従って、第一の接触部間の被梱包部材の保持固定性が、被梱包部材の輪郭に沿う方向の回転や滑りを防ぐ程度まで向上する。
【０００９】
請求項２に記載の発明は、前記溝の一方の壁面と他方の壁面とが一定の曲率をもって形成されていることを特徴とする。
本発明では、被梱包部材が一方向に湾曲した湾曲部を有し、この湾曲部が溝に嵌め込まれると、前記一定の曲率が該湾曲部の曲率より小さく適切に設定された際に、溝の一方の壁面の両端付近が第一の接触部とされ、溝の他方の壁面の中央付近が第二の接触部とされる。従って、第一の接触部間の被梱包部材の保持固定性が極めて向上する。
【００１０】
請求項３に記載の発明は、前記溝の一方の壁面と他方の壁面とは、同一寸法を隔てて並行に形成されていることを特徴とする。
本発明では、被梱包部材が一方向に湾曲した湾曲部を有しており、被梱包部材の厚みが一定であれば、前記一定の曲率が該湾曲部の曲率より小さく適切に設定された際に、前記湾曲部が溝に嵌め込まれると、溝の一方の壁面の両端付近が第一の接触部とされ、溝の他方の壁面の中央付近が第二の接触部とされる。従って、第一の接触部間の被梱包部材の保持固定性が極めて向上する。
【００１１】
請求項４に記載の発明は、請求項１から３の何れか一項に記載の梱包材が設置され、板状の被梱包部材は湾曲形状を有し、前記被梱包部材の曲率と異なる曲率となるように、前記溝が走らされていることを特徴とする。
本発明では、梱包体における被梱包部材が第一の接触部により溝の一方の壁面から他方の壁面に向けて押圧されると共に、第一の接触部間で第二の接触部により第一の接触部が被梱包部材を押圧する方向と略対向する方向に押圧されている。従って、梱包体において第一の接触部間の被梱包部材の保持固定性が、被梱包部材の輪郭に沿う方向の回転や滑りを防ぐ程度まで極めて高められる。
【００１２】
請求項５に記載の発明は、前記被梱包部材の板面が、前記溝の一方の壁面及び他方の壁面における少なくとも三つの接触部により保持されていることを特徴とする。
本発明では、少なくとも一つの第一の接触部とその両側の第二の接触部とを含む三つの接触部によって被梱包部材が平面視で略互い違いの方向に押圧されることにより、被梱包部材全体の保持固定性が一層高められる。
【００１３】
請求項６に記載の発明は、梱包される前記被梱包部材の底辺が、水平方向に対して傾いていることを特徴とする。
本発明では、梱包体の縦・横・高さの比率が一定範囲内に抑えられ、且つ、被梱包部材の保持固定性が被梱包部材の輪郭に沿う方向の回転や滑りを防ぐ程度まで極めて高められる。
【発明の効果】
【００１４】
本発明の梱包材及び梱包体によれば、被梱包部材を縦置きして保持する際に、被梱包部材が不安定な姿勢で立てられたとしても、その姿勢を強力に保持固定することができる。結果として、梱包体が運搬される際等に被梱包部材をガタつかせることなく、確実に保護することができる。
【図面の簡単な説明】
【００１５】
【図１】本発明の実施形態である梱包材を用いて梱包される被梱包部材の斜視図である。
【図２】本発明の実施形態である梱包体を示す図であって、（ａ）は平面図であり、（ｂ）は側面図であり、である。
【図３】本発明の実施形態である梱包体を示す図であって、図２（ｂ）に示すＡ−Ａ線で矢視した場合の断面図である。
【発明を実施するための形態】
【００１６】
以下、本発明の実施形態である梱包材及び梱包体について、図面を参照して説明する。
【００１７】
図１は、本発明の実施形態である梱包材を用いて梱包される被梱包部材２０を示す斜視図である。図１に示すように、被梱包部材２０は、表面２１（一方の面）と、裏面２２（他方の面）と、を備え、平面視輪郭方向及び盤面方向に湾曲している湾曲部２３を有する。被梱包部材２０を構成する板の厚みは略一定である。被梱包部材２０の材質としては、例えば鉄、鋼、アルミニウム、銅等の金属、又は、ポリプロピレン、ポリエチレンテレフタレート、ポリスチレン等の樹脂、ガラス等が挙げられる。
【００１８】
図２は、本発明の実施形態である梱包体３０を示す図であって、図２（ａ）は梱包体３０の平面図であり、図２（ｂ）は梱包体３０の側面図である。図２（ａ）及び図２（ｂ）に示すように、梱包体３０は、被梱包部材２０と、梱包材３１〜３４と、筐体３５と、支持材３６Ａ〜３６Ｃと、を備えている。梱包体３０には、複数の被梱包部材２０が各湾曲部２３を底部に配置した立ち姿勢で梱包材３１〜３４により保持固定されている。具体的には、被梱包部材２０の湾曲部２３が梱包材３１によって下方から保持固定されると共に、被梱包部材２０の端部２４が梱包材３２によって側方から保持固定されている。このように保持固定された被梱包部材２０は、梱包材３３，３４によって梱包体３０内での保持固定性を補強されている。
【００１９】
図３は、本発明の実施形態である梱包体３０を示す図であって、図２（ｂ）に示すＡ−Ａ線で矢視した場合の断面図である。図３に示すように、梱包材３１は梱包材本体３７を備えており、梱包材本体３７には被梱包部材２０の湾曲部２３を下方から保持固定するための複数の溝３８が設けられている（走行している）。溝３８は、平面視曲がった形状に走らせて形成され、互いに間隔をおいて対向する壁面４１（一方の壁面）と、壁面４２（他方の壁面）と、を備えている。なお、前記平面視とは、梱包材３１において被梱包部材２０を縦置きに保持固定する側から見た状態を意味する。また、前記曲がった形状とは、湾曲、屈曲、折り返し等を含む形状であり、図３に示すように緩やかな曲げだけではなく、鋭角に折り曲げられた形状も含む。
【００２０】
壁面４１，４２は、被梱包部材２０の湾曲部２３の曲率よりも小さい一定の曲率をもって、同一寸法を隔てて形成されている。壁面４１には、互いに間隔をおいて第一の接触部４３が設けられており、具体的には溝３８の一端及び他端付近に二箇所の第一の接触部４３Ａ，４３Ｂが設けられている。壁面４１は、第一の接触部４３Ａ，４３Ｂにおいて被梱包部材２０の湾曲部２３の表面２１に接触するように形成されている。従って、第一の接触部４３Ａ，４３Ｂにおける被梱包部材２０の湾曲部２３は、図３に示す矢印のように表面２１から裏面２２に向かうＦ１，Ｆ２方向にそれぞれ押圧されている。
【００２１】
壁面４２には、第一の接触部４３Ａ，４３Ｂの間に対応する位置に第二の接触部４４が設けられており、第二の接触部４４において被梱包部材２０の湾曲部２３の裏面２２に接触するように形成されている。従って、第二の接触部４４における被梱包部材２０の湾曲部２３は、図３に示す矢印のように裏面２２から表面２１に向かうＦ３方向に押圧されている。上記構成により、第一の接触部４３Ａ，４３Ｂの間の被梱包部材２０の湾曲部２３は、互いに対向するＦ１，Ｆ２方向とＦ３方向とに押圧されて、強固に保持固定されている。
【００２２】
第一及び第二の接触部４３，４４の面積及び被梱包部材２０の湾曲部２３がＦ１，Ｆ２方向とＦ３方向とに押圧される力は、壁面４１，４２の曲率と幅によって変更される。壁面４１，４２の曲率が湾曲部２３の曲率よりも小さく、且つ、湾曲部２３の曲率に近づけて設定される程、第一及び第二の接触部４３，４４の面積は拡大される。一方、壁面４１，４２の曲率が湾曲部２３の曲率よりも小さくなる程、第一及び第二の接触部４３，４４の面積は縮小される。また、壁面４１，４２の幅が縮小される程、湾曲部２３の保持固定性は高められるが、高めすぎると湾曲部２３の変形を招く虞がある。従って、壁面４１，４２の曲率と幅は、被梱包部材２０及び梱包材本体３７の剛性を勘案して設定される。なお、第一及び第二の接触部４３，４４における接触部とは、点、線又は面で接触する何れの場合をも含む部位であって、何れの場合になるかについては壁面４１，４２の曲率と幅等によって変更される。
【００２３】
梱包材本体３７の材質としては、例えば熱可塑性樹脂の発泡成形体が挙げられる。前記熱可塑性樹脂には、ポリスチレン系樹脂、ポリオレフィン系樹脂（例えばポリプロピレン系樹脂、ポリエチレン系樹脂）、ポリエステル系樹脂（例えば、ポリエチレンテレフタレート、ポリブチレンテレフタレート、ポリエチレンナフタレート）、ポリカーボネート系樹脂、ポリ乳酸系樹脂等がある。
【００２４】
図２（ｂ）に示す梱包材３２は、筐体３５の内壁の高さ方向略中央に当接して設けられている。梱包材３２は、梱包材本体（図示略）を備え、該梱包材本体には被梱包部材２０を側方から保持固定するための複数の溝（図示略）が設けられている。この複数の溝は、その壁面が梱包材３２に保持固定された被梱包部材２０の端部の曲率よりも小さい一定の曲率をもって形成されていること以外は梱包材３１の溝３８と同様の構成要素を備えているため、その説明は省略する。
【００２５】
図２（ｂ）に示すように、被梱包部材２０は、湾曲部２３と端部２４との２箇所がそれぞれ本実施形態の梱包材３１の溝３８と梱包材３２の溝に嵌め込まれているため、全体として強固に保持固定されている。
【００２６】
梱包材３３及び梱包材３４には、被梱包部材２０の端部２５及び端部２６をそれぞれ上方から保持するための複数の溝（図示略）が設けられている。これらの溝の壁面は、被梱包部材の端部２５，２６の表面２１及び裏面２２に沿う形状で形成されている。また、梱包材３３及び梱包材３４は筐体３５に当接していないため、支持材３６Ａ〜３６Ｃにより筐体３５内中空に保持されている。
【００２７】
次いで、被梱包部材２０を梱包する方法について説明する。
先ず、図２（ａ）に示す筐体３５を用意した後、筐体５０内部の底面と壁部にそれぞれ梱包材３１と梱包材３２を配置する。
【００２８】
次に、図３に示すように、梱包材３１の梱包材本体３７の複数の溝３８に順次被梱包部材２０の湾曲部２３を底部に配置して縦置きに嵌め込む。同時に、梱包材３１の梱包材本体３７の複数の溝３８に対応する梱包材３２の各溝に各被梱包部材２０の端部２４を嵌め込む。この後、図２（ａ）及び図２（ｂ）に示すように、梱包材３３及び支持材３６Ａを複数の被梱包部材２０の端部２５を上方から支持するように筐体３５内に配置する。また、梱包材３４及び支持材３６Ｂ，３６Ｃを複数の被梱包部材２０の端部２６を上方から支持するように筐体３５内に配置する。
以上の作業により、梱包体３０が完成する。
【００２９】
上記説明した本実施形態の梱包材３１，３２によれば、図２（ｂ）に示すように被梱包部材２０の湾曲部２３が底部に配置されて立ち姿勢で、図３に示すように梱包材本体３７の溝３８に嵌め込まれても、第一の接触部４３Ａ，４３Ｂにより溝３８の壁面４１から壁面４２に向けて押圧されると共に、第一の接触部４３Ａ，４３Ｂの間で第二の接触部４４により、溝３８の壁面４２から壁面４１に向けて、即ち第一の接触部４３Ａ，４３Ｂが被梱包部材２０の湾曲部２３を押圧する方向と略対向する方向に押圧される。従って、第一の接触部４３Ａ，４３Ｂの間の被梱包部材２０の湾曲部２３の保持固定性が、被梱包部材２０の輪郭に沿う方向の回転や滑りを防ぐ程度まで向上する。その結果、被梱包部材２０の不安定な立ち姿勢を強力に保持固定し、被梱包部材２０をガタつかせることなく、確実に保護することができる。
【００３０】
また、上記説明した本実施形態の梱包材３１，３２によれば、被梱包部材２０が一方向に湾曲した湾曲部２３を有し、湾曲部２３が溝３８に嵌め込まれると、壁面４１，４２の曲率が湾曲部２３の曲率より小さく、且つ、梱包材本体３７及び被梱包部材２０の剛性に応じて適切に設定された際に、溝３８の壁面４１の両端付近が第一の接触部４３Ａ，４３Ｂとされ、溝３８の壁面４２の中央付近が第二の接触部４４とされる。従って、第一の接触部４３Ａ，４３Ｂの間の被梱包部材２０の湾曲部２３の保持固定性が極めて向上する。更に、被梱包部材２０の厚みが均一であれば、被梱包部材２０の厚みと溝３８の壁面４１，４２の曲率とを勘案して同一寸法を隔てて並行に形成された壁面４１と壁面４２において、溝３８に被梱包部材２０が嵌め込まれたときに、平面視で壁面４１の両端付近が４３Ａ，４３Ｂとされ、壁面４２の中央付近が第二の接触部４４とされる。従って、第一の接触部４３Ａ，４３Ｂの間の被梱包部材２０の湾曲部２３の保持固定性が極めて向上する。
【００３１】
上記説明した本実施形態の梱包体３０によれば、筐体３５内で被梱包部材２０が第一の接触部４３Ａ，４３Ｂにより溝３８の壁面４１から壁面４２に向けて押圧されると共に、第一の接触部４３Ａ，４３Ｂの間で第二の接触部４４により壁面４２から壁面４１に向けて押圧されている。従って、梱包体３０において第一の接触部４３Ａ，４３Ｂの間の被梱包部材２０の保持固定性が、被梱包部材２０の輪郭に沿う方向の回転や滑りを防ぐ程度まで高められている。その結果、梱包体３０が運搬される際等に被梱包部材２０をガタつかせることなく、確実に保護することができる。
【００３２】
また、上記説明した本実施形態の梱包体３０によれば、被梱包部材２０が湾曲部２３と端部２４との二箇所において、それぞれの箇所の第一の接触部４３Ａ，４３Ｂと第二の接触部４４との合計三つの接触部の接触部により保持固定性が高められているため、被梱包部材２０全体の保持固定性が一層高められる。
【００３３】
更に、上記説明した本実施形態の梱包体３０によれば、被梱包部材２０が水平方向に対して傾いていることで被梱包部材２０の最長部分が水平方向に傾いているため、梱包材３０の縦・横・高さの比率を一定範囲内に抑え、被梱包部材２０の収納スペースの効率化を図ることができる。また、本実施形態の梱包材３１，３２を使用することにより、梱包体３０の輸送時に振動が発生しても、被梱包部材２０の位置ずれを防止することができる。
【００３４】
以上、本発明の好ましい実施形態について説明したが、本発明の趣旨を逸脱しない範囲で上記の実施形態における構成要素を変更する、又は、周知の構成要素に置き換えることは適宜可能である。
【符号の説明】
【００３５】
２０  被梱包部材
２１  表面（一方の面）
２２  裏面（他方の面）
３０  梱包体
３１，３２，３３，３４  梱包材
３７  梱包材本体
３８  溝
４１  壁面（一方の壁面）
４２  壁面（他方の壁面）
４３，４３Ａ，４３Ｂ  第一の接触部
４４  第二の接触部
【図１】
2014162517.tif 000003
【図２】
2014162517.tif 000004
【図３】
2014162517.tif 000005